(57)【要約】【課題】電源電圧が低下した場合に、メモリに保存されるデータをＥＥＰＲＯＭや外付けメモリに転送することなく、データ消去の回避を行うことを可能とする携帯通信装置を提供することを目的とする。【解決手段】検出部９が電源部２の電圧が低下したことを検出すると、ＣＰＵ５はメモリ４より抽出したデータを、無線部１を起動して基地局に送信する。【選択図】      図１
2005012596.tif 000002
【特許請求の範囲】
【請求項１】
無線電波を送受信する無線部と、データを保存する記憶部と、電源電圧を監視する電源電圧検出部とを有する携帯通信装置において、
前記電源電圧検出部が所定電圧以下を検出すると前記無線部よりネットワークの基地局のサーバーに前記記憶部に保存されているデータを送信する制御部を備えていることを特徴とする移動体通信装置。
【請求項２】
前記携帯通信装置は携帯電話機であって、前記ネットワークを形成する電話網を介して接続される基地局のサーバーに前記記憶部に保存されているデータを送信することを特徴とする請求項１記載の携帯通信装置。
【請求項３】
前記電源電圧検出部が所定電圧以上に復帰したことを検出すると、前記制御部は前記無線部を起動して前記基地局との通信を行い、前記基地局より送信される前記基地局のサーバーに保存されたデータを受信し、前記記憶部に再び保存することを特徴とする請求項１記載の携帯通信装置。
【請求項４】
前記電源電圧検出部が所定電圧以下を検出したときに前記無線部よりネットワークの基地局との通信が不可能な場合、前記記憶部に保存されているデータを外部メモリに書き込むことを特徴とする請求項１記載の携帯通信装置。
【請求項５】
前記電源電圧検出部が所定電圧以下を検出したときに前記無線部よりネットワークの基地局との通信が不可能な場合、前記記憶部に保存されているデータを前記ＲＯＭへ転送して書き込むことを特徴とする請求項１記載の携帯通信生装置。
【請求項６】
前記ＲＯＭの空き容量が少ない場合、前記記憶部に保存されているデータを外部メモリに書き込むことを特徴とする請求項５記載の携帯通信装置。
【発明の詳細な説明】
【０００１】
【発明の属する技術分野】
本発明は、一次電池、二次電池等のバッテリで駆動される携帯通信装置に関する。
【０００２】
【従来の技術】
従来、無線電波の送受信を行う無線部を備えた携帯通信装置は、電話網、インターネット網、またはローカルエリアネットワーク網等を使用して様々なデータ（テキストデータ、画像データ、音声データ等）のダウンロードを行うことが可能であり、同時にそれらダウンロードしたデータを携帯通信装置内のメモリまたはＲＯＭに保存することが可能である。
【０００３】
また、ダウンロードしたデータのみならず、携帯通信装置内で動作するプログラムを用いて作成したデータ（テキストデータ、画像データ、音楽データ等）もＲＯＭやメモリに保存することが可能である。
【０００４】
ここでいうＲＯＭとは、バックアップ用の電源を必要としない、例えばＥＥＰＲＯＭ等の記憶手段であり、以降、このようにバックアップ用の電源を必要としない記憶手段をＲＯＭと呼ぶ。また、メモリとは電源からの電力によって保存する記憶手段であり、以降、このように電源からの電力によって保存する記憶手段をメモリと呼ぶ。
【０００５】
頻繁に書き換えを繰り返すデータに関しては、書き込み完了までに時間を要することのないメモリに保存して応答速度を良くし、それ以外のデータをＲＯＭに保存したりしている。
【０００６】
上述のようにダウンロードしたデータやプログラムで作成したデータは、バックアップ用の電源を必要としないＲＯＭや電源からの電力を必要とするメモリに保存されるが、主電源の電力を消費した場合や主電源が脱落した場合などにおいては、ＲＯＭに保存したデータは保存されているが、メモリは主電源からの電力により保存しているため、メモリに保存したデータは消去されてしまう。
【０００７】
それを防ぐために予備電源を備え、主電源の電力を消費した場合においても、予備電源から供給される電力にてメモリ内のデータを保存し続ける携帯通信装置が存在するが、主電源と同様に予備電源の電力を消費した場合には、メモリに保存されているデータは消去してしまう。
【０００８】
また、主電源の電源低下を検出した場合は、メモリに保存されているデータが消失しないよう、最低限の電力を残して、電源をＯＦＦする携帯通信装置も存在するが、その際においても、長時間主電源が充電されない場合においては、主電源の電力を消費し尽くしてしまうため、メモリに保存されているデータは消去されてしまう。
【０００９】
そこで、電源電圧が得られないことを検出したときに、メモリに保存されているデータをＲＯＭ（ＥＥＰＲＯＭ）に転送して書き込んでいる（例えば、特許文献１参照）。
【００１０】
また、充電器にメモリを内蔵し、充電中に装置側のメモリに蓄積されている情報を充電器のメモリに転送するものもある（例えば、特許文献２参照）。
【００１１】
【特許文献１】
特開平９−５５７８１号公報（第３頁、図１）
【特許文献２】
特開平５−９５３２４号公報（第３頁、図１）
【００１２】
【発明が解決しようとする課題】
しかしながら、上述の携帯通信装置では、主電源が所定電圧以下に低下した場合は、メモリは主電源からの電力によりデータを保存しているのでメモリに保存したデータは消去されてしまう。
【００１３】
また、バックアップ用の電源を必要としないＥＥＰＲＯＭの場合、データの書き換え回数に限界があり、更に、充電器に内蔵されたメモリにデータを転送するには充電器が携帯通信装置と接続されている必要がある。
【００１４】
そこで、本発明は、上述した従来の問題点に鑑み、電源電圧が低下した場合に、メモリに保存されるデータをＥＥＰＲＯＭや充電器内臓メモリに転送することなく、データ消去の回避を行うことを可能とする携帯通信装置を提供することを目的とする。
【００１５】
【課題を解決するための手段】
上記課題を解決するために、本発明による携帯通信端末装置は、無線部と、データを保存する記憶部と、電源電圧を監視する電源電圧検出部とを有する携帯通信装置において、電源電圧検出部が所定電圧以下を検出すると無線部よりネットワークの基地局のサーバーに記憶部に保存されているデータを送信する制御部を備えていることを特徴とする。
【００１６】
また、携帯通信装置は携帯電話機であって、ネットワークを形成する電話網を介して接続される基地局のサーバーに記憶部に保存されているデータを送信することを特徴とする。
【００１７】
また、電源電圧検出部が所定電圧以上に復帰したことを検出すると、制御部は無線部を駆動して基地局との通信を行い、基地局より送信される基地局のサーバーに保存されたデータを受信し、記憶部に再び保存することを特徴とする。
【００１８】
また、電源電圧検出部が所定電圧以下を検出した場合に無線部よりネットワークの基地局との通信が不可能な場合、記憶部に保存されているデータを外部メモリに書き込むことを特徴とすることを特徴とする。
【００１９】
また、電源電圧検出部が所定電圧以下を検出した場合に無線部よりネットワークの基地局との通信が不可能な場合、記憶部に保存されているデータをＲＯＭに書き込むことを特徴とする。
【００２０】
更に、ＲＯＭの空き容量が少ない場合、記憶部に保存されているデータを外部メモリに書き込むことを特徴とする。
【００２１】
【発明の実施の形態】
以下、本発明の一実施の形態について、図面を参照しながら説明する。
【００２２】
図１は、本発明における一実施例による携帯通信装置のブロック図である。
図１において、１は無線電波を用いて送受信を行い希望するデータの抽出等を行う無線部、２は装置の各部に電力を供給する電源部、３はバックアップ用の電源を必要とせずにデータの保存及びＣＰＵの制御プログラムが保存される記憶部（ＲＯＭ）、４は電源からの電力によりデータの保存を行う記憶部（メモリ）、５は装置各部の動作を制御するＣＰＵ、６は外部入力部とＣＰＵとの間で信号交換を行うＩ／Ｏポート、７は表示部、８はキー入力部、９は電源電圧を検出する検出部、１０は外付けメモリである。
【００２３】
図１に示すような携帯通信装置において、ユーザによるキーの押下の信号はＩ／Ｏポート６を経由してＣＰＵ５へ送られ、ＲＯＭ３上に記録されたプログラムに応じて、入力に対応した処理が起動され、表示や無線通信処理が行われる。
【００２４】
表示は、Ｉ／Ｏポート６を経由して表示部７のＬＣＤ画面上に表示される。無線通信処理は無線部１へのＣＰＵ５からの制御信号によって、無線部１は起動されて発信（送信）動作を行う。
【００２５】
その他に、メモリ４には現在無線部１が起動中か停止中かをＣＰＵ５が管理するための情報などを記憶する。また、現在無線部１を用いて通信を行っているか等を示すためのＬＥＤ、および、キーが押された時に点灯するキー部ＬＥＤが表示部７内に存在し、ＲＯＭの容量が一杯のときなどにデータを保存する外付けメモリ１０が接続されることもある。
【００２６】
図２（ａ）、図２（ｂ）は、この携帯通信装置が動作する通信ネットワークを図示したもので、図２（ａ）は一般的なネットワーク構成を示し、図２（ｂ）は携帯通信装置が携帯電話の場合のネットワーク構成を示している。
【００２７】
図１の携帯移動装置において、図２（ａ）、図２（ｂ）に示すようなネットワーク構成の中、ユーザは携帯移動装置内のキー入力部８のキーを押し、特定のアクセス先を指定しデータのダウンロード要求を行う。
【００２８】
図２（ａ）、図２（ｂ）に示すようなネットワーク構成において、携帯通信装置ａからの要求は、基地局ｂに送られる。基地局はローカルエリアネットワークｃ１（若しくは電話網ｃ２）またはインターネット網ｄを経由し、サーバｅまたはｆに接続し、要求を受けたデータ（テキストデータ、画像データ、音声データ等）をサーバｅまたはサーバｆより抽出して要求先の携帯通信装置に送信する。
【００２９】
携帯通信装置は、データ受信完了後にテキストデータや画像データを表示部７に表示し、音声データが存在すれば再生を行うことが可能である。受信したデータは図１のＲＯＭ３やメモリ４に格納する。
【００３０】
また、上述のようにダウンロードしたデータのみならず、携帯通信装置内で動作するプログラムを用いて作成したデータ（テキストデータ、画像データ、音楽データ等）もＲＯＭ３やメモリ４に保存することも可能である。
【００３１】
このような携帯通信装置において、電源電圧が低下した場合の動作について説明する。
【００３２】
図１の携帯通信装置において、まず、検出器９が電源部２の電圧が低下したことを検出する。
【００３３】
これにより検出器９はＣＰＵ５に割り込みを発生させ、ＲＯＭ３に格納されてＣＰＵ５の制御を行っているプログラムはこの割り込みにより、電源部２の電圧が低下したことを認知する。
【００３４】
電源２の電圧低下を検出した際に、ＲＯＭ３に格納されているプログラムは、メモリ４内に保存されているデータを抽出して、無線部１から送信し、図２（ａ）、（ｂ）のネットワーク上のサーバーｅまたはｆに保存する。
【００３５】
この動作を詳しく説明すると、まず、検出部９が電源２の電圧が低下して所定値以下になったことを検出すると、ＣＰＵ５はメモリ４内に保存されているデータの抽出を行った後に、抽出したデータが保存用のデータであることを示す所定フォーマットに変換して無線部１に送る。
【００３６】
無線部１は、電源２の電圧が低下して所定値以下になるとＣＰＵ５からの指示によって起動し、前記所定フォーマットに変換されたデータを受けて、図２（ａ）、図２（ｂ）の基地局ｂに送信する。
【００３７】
前記送信を受けた基地局ｂでは、受信した信号が特定の携帯通信装置ａからの保存用のデータであるか否かを判別して保存用データであれば、基地局ｂのサーバーｅまたはサーバーｆに、このデータと携帯通信装置ａとを対応ずけて保存する。
【００３８】
このようにすることによって、携帯通信装置の電源部２の電力が消費してメモリ４のデータが消失したとしても、既にデータは基地局ｂのサーバーｅまたはサーバーｆに転送されているので問題にならない。
【００３９】
その後、図１の携帯通信装置において、検出部９が電源部２の電圧が所定電圧以上に復帰した（再充電された）ことを検出すると、ＣＰＵ５に割り込みを発生させて、無線部１を作動させて、基地局ｂに復帰した旨の復帰信号を送信する。
【００４０】
上述の復帰信号を受信した基地局ｂは、携帯通信装置を特定する信号を含む復帰信号より判別して、該当するデータを基地局ｂのサーバーｅまたはサーバーｆに保存されているデータから抽出して、データの対応する携帯通信装置宛に送信する。
【００４１】
携帯通信装置は、基地局ｂからのデータを含む信号を受信し、その信号が電源部２の電源電圧が所定値以下になったときに転送したデータであることを確認し、データに戻した後、メモリ４に格納することによって、メモリ４内のデータが復元する。
【００４２】
上述の実施の形態の携帯通信装置において、検出部９が電源２の電圧の低下を検出したときに、携帯通信装置が無線圏外（基地局ｂとの通信が不可）にある場合にはメモリ４のデータをＲＯＭ３に転送して保存するようにしても良いし、外付けメモリ１０（例えば充電器に内蔵されるメモリ）、に保存するようにしても良い。
【００４３】
更に、ＲＯＭ３に空き領域がない場合に、外付けメモリ１０（例えば充電器に内蔵されるメモリ）、へ保存するようにしても良い。
【００４４】
上述の本実施の形態の携帯通信装置においては、電源部２の電圧が所定値以下に低下したときには自動的に無線部１を起動して基地局ｂにメモリ４のデータを送信するようにしたが、電源部２の電圧が所定値以下に低下したときに、表示部７に電圧が低下したことを表示するとともに、メモリの転送を行うか否かの判断をユーザに依頼する表示を行い、ユーザの指示によって無線部１を起動して送信するようにしても良い。
【００４５】
これは、携帯通信装置が携帯電話の場合に、通話中に電源部２の電圧が所定値低下したとき、突然に通話を中断してメモリ４のデータを無線部１から送信することがないように、まず最初に電源部２の電圧低下を表示してユーザに知らせ、ユーザの指示を待つようにした。
【００４６】
また、通話中に電源電圧が所定値以下に低下した場合は、通話の終了を待って、通話終了後に無線部１を起動してデータを送信するようにしても良い。但しこの場合、通話が長いときには中断して送信する。
【００４７】
また、通話中に電源電圧が所定値以下に低下した場合に、一旦通話を中断して、データを送信するようにしても良いし、通話の終了を待つか、中断するかはユーザが設定するようにしても良い。
【００４８】
更に、メモリ内にあるデータを他の媒体に保存する際に、メモリ内のデータサイズが大きい場合、データ圧縮を行った後に保存しても良い。
【００４９】
【発明の効果】
本発明の携帯通信再生装置によれば、必要以上にＲＯＭを書き換えたりすることなく、電源電圧が低下したときにメモリ内容の消失を防止することが可能である。
【図面の簡単な説明】
【図１】本発明の実施の形態による携帯通信装置のブロック図である。
【図２】本発明の実施の形態におけるネットワーク構成である。
【符号の説明】
１  無線部
２  電源部
３  ＲＯＭ部
４  メモリ部
５  Ｉ／Ｏポート部
６  ＣＰＵ部
７  表示部
８  キー入力部
９  検出部
【図１】
2005012596.tif 000003
【図２】
2005012596.tif 000004